(57)【要約】【課題】搬送されている基材を振動させないで精度よく塗工材を塗工することを可能として、高品質な塗工を施すことができる塗工方法および塗工装置を提供すること。【解決手段】長手方向に搬送されている薄膜状の長尺な基材２の両面に対して、当該基材２の幅方向の単数または複数の塗工領域において前記基材２の長手方向に塗工剤１２、２２の塗工を同時に施す塗工方法において、前記基材２の両面のそれぞれにおいて、直径が１０〜５０ｍｍのグラビアロール１３、２３を用いて基材２の反対面を自由状体にして前記塗工剤１２、２２を塗工するとともに、前記基材２の長手方向に離間して配置されている前記各グラビアロール１３、２３において前記基材２に対して基材２の厚さ方向に作用する押圧力を調整して前記基材２の搬送状態を制御しながら塗工を施すことを特徴とする。【選択図】      図１
2018202311.tif 000002
【特許請求の範囲】
【請求項１】
長手方向に搬送されている薄膜状の長尺な基材の両面に対して、当該基材の幅方向の単数または複数の塗工領域において前記基材の長手方向に塗工剤の塗工を同時に施す塗工方法において、
前記基材の両面のそれぞれにおいて、直径が１０〜５０ｍｍのグラビアロールを用いて基材の反対面を自由状体にして前記塗工剤を塗工するとともに、前記基材の長手方向に離間して配置されている前記各グラビアロールにおいて前記基材に対して基材の厚さ方向に作用する押圧力を調整して前記基材の搬送状態を制御しながら塗工を施す
ことを特徴とする塗工方法。
【請求項２】
前記基材の各塗工領域には、それぞれ前駆層が形成されており、前記塗工剤は各前駆層を覆うように塗工される
ことを特徴とする請求項１に記載の塗工方法。
【請求項３】
搬送方向の下流側の前記グラビアロールより下流側において前記基材の搬送方向を変える位置に設けたガイドローラによって、ガイドローラの外周面から外部に流出させる気体によって前記基材を浮上させて支承しながら搬送方向を変えることを特徴とする請求項１または請求項２に記載の塗工方法。
【請求項４】
長手方向に搬送される長尺な基材の両面の幅方向の単数または複数の塗工領域において前記基材の長手方向に塗工剤の塗工を同時に施す塗工装置において、
前記基材の両面のそれぞれにおいて基材の長手方向に離間して配置されており、直径が１０〜５０ｍｍのグラビアロールを用いて基材の反対面を自由状体にして前記塗工剤を塗工する塗工手段と、
前記各グラビアロールにおいて前記基材に対して基材の厚さ方向に作用する押圧力を調整して前記基材の搬送状態を制御する押圧力調整手段とを有する
ことを特徴とする塗工装置。
【請求項５】
前記基材の各塗工領域には、それぞれ前駆層が形成されており、前記塗工剤は各前駆層を覆うように塗工される
ことを特徴とする請求項４に記載の塗工装置。
【請求項６】
搬送方向の下流側の前記グラビアロールより下流側において前記基材の搬送方向を変える位置に、外周面から外部に流出させる気体によって前記基材を浮上させて支承しながら搬送方向を変えるガイドローラを設けたことを特徴とする請求項４または請求項５に記載の塗工装置。
【発明の詳細な説明】
【技術分野】
【０００１】
本発明は、塗工方法および塗工装置に係り、特に搬送される基材の両面に同時に塗工するのに好適な塗工方法および塗工装置に関する。
【背景技術】
【０００２】
薄い基材の両面に塗工材を塗工する装置としては、基材の搬送方向を変更するように案内して、搬送方向の変更する前後においてそれぞれ異なる面に塗工材を塗工することが提案されている(特許文献１参照)。
【先行技術文献】
【特許文献】
【０００３】
【特許文献１】特許第５８３４０４８号公報
【発明の概要】
【発明が解決しようとする課題】
【０００４】
薄い基材に対して両面に塗工材を精度よく塗工するためには、搬送されている基材をばたつかせたり、微細な振動を発生させないようにして塗工することが肝要である。
【０００５】
従来からそれを解消することが要望されていた。
【０００６】
本発明はこれらの点に鑑みてなされたものであり、搬送されている基材を振動させないで精度よく塗工材を塗工することを可能として、高品質な塗工を施すことができる塗工方法および塗工装置を提供することを目的とする。
【課題を解決するための手段】
【０００７】
前述した目的を達成するため、本発明の第１の形態の塗工方法は、長手方向に搬送されている薄膜状の長尺な基材の両面に対して、当該基材の幅方向の単数または複数の塗工領域において前記基材の長手方向に塗工剤の塗工を同時に施す塗工方法において、前記基材の両面のそれぞれにおいて、直径が１０〜５０ｍｍのグラビアロールを用いて基材の反対面を自由状体にして前記塗工剤を塗工するとともに、前記基材の長手方向に離間して配置されている前記各グラビアロールにおいて前記基材に対して基材の厚さ方向に作用する押圧力を調整して前記基材の搬送状態を制御しながら塗工を施すことを特徴とする。
【０００８】
また、本発明の第２の形態の塗工方法は、前記第１の形態において、前記基材の各塗工領域には、それぞれ前駆層が形成されており、前記塗工剤は各前駆層を覆うように塗工されることを特徴とする。
【０００９】
また、本発明の第３の形態の塗工方法は、前記第１または第２の形態において、搬送方向の下流側の前記グラビアロールより下流側において前記基材の搬送方向を変える位置に設けたガイドローラによって、ガイドローラの外周面から外部に流出させる気体によって前記基材を浮上させて支承しながら搬送方向を変えることを特徴とする。
【００１０】
本発明の第１の形態の塗工装置は、長手方向に搬送される長尺な基材の両面の幅方向の単数または複数の塗工領域において前記基材の長手方向に塗工剤の塗工を同時に施す塗工装置において、前記基材の両面のそれぞれにおいて基材の長手方向に離間して配置されており、直径が１０〜５０ｍｍのグラビアロールを用いて基材の反対面を自由状体にして前記塗工剤を塗工する塗工手段と、前記各グラビアロールにおいて前記基材に対して基材の厚さ方向に作用する押圧力を調整して前記基材の搬送状態を制御する押圧力調整手段とを有することを特徴とする。
【００１１】
また、本発明の第２の形態の塗工装置は、前記第１の形態において、前記基材の各塗工領域には、それぞれ前駆層が形成されており、前記塗工剤は各前駆層を覆うように塗工されることを特徴とする。
【００１２】
また、本発明の第３の形態の塗工装置は、前記第１または第２の形態において、搬送方向の下流側の前記グラビアロールより下流側において前記基材の搬送方向を変える位置に、外周面から外部に流出させる気体によって前記基材を浮上させて支承しながら搬送方向を変えるガイドローラを設けたことを特徴とする。
【００１３】
そして、第４の塗工装置によって第１の塗工方法に従って基材に塗工を施すと、２つのグラビアロールによって搬送されている基材を厚さ方向に押圧してあたかも基材をニップしている状態として搬送させながら塗工材を塗工することができるので、搬送されている基材を振動させないで精度よく塗工材を塗工することを可能として、高品質な塗工を施すことができる。
【００１４】
また、第５の塗工装置によって第２の塗工方法に従って基材に塗工を施すと、基材に予め形成されている前駆体の上に塗工材を塗工することができる。
【００１５】
そして、第６の塗工装置によって第３の塗工方法に従って基材に塗工を施すと、乾燥前の塗工材が塗工されている面をガイドローラによって浮かせて支承しながら搬送方向を変更することができるとともに、更にガイドローラと２つのグラビアロールによって搬送されている基材を振動させないで搬送することができ、精度よく塗工材を塗工することを可能として、高品質な塗工を施すことができる。
【発明の効果】
【００１６】
本発明に係る塗工方法および塗工装置によれば、搬送されている基材を振動させないで精度よく塗工材を塗工することを可能として、高品質な塗工を施すことができる塗工方法および塗工装置を提供することができるなどの優れた効果を奏する。
【図面の簡単な説明】
【００１７】
【図１】本発明の１実施形態を示す正面図
【図２】基材の幅方向に分かれている複数の塗工領域を塗工する場合のグラビアロールと基材と塗工材との関係を示す説明図
【図３】（ａ）〜（ｄ）は気体の流出可能なガイドローラの他の例を示す正面図
【発明を実施するための形態】
【００１８】
以下、本発明の塗工装置を図１〜３に示す実施形態により説明する。
【００１９】
図１においては、乾燥炉１を含む構成をスケルトン的に示している。
【００２０】
図１は本実施形態の塗工装置１の全体構成を示している。原反（図示せず）より取り出された薄膜状の長尺な基材２は、図示しない巻き取りロールによって巻き取られることによって矢印方向に搬送される。基材２は途中を複数のガイドローラ３〜７上下に配置されている２つのガイドローラ６、７によって鉛直方向に搬送される基材２の両面に対して、長手方向（搬送方向）に離間した位置に配置された上流側塗工ユニット１０と下流側塗工ユニット２０によって塗工材を塗工するように形成されている。各塗工ユニット１０、２０においては、同等に形成されており、塗工材容器１１、２１内に貯留されている塗工材１２、２２を直径が１０〜５０ｍｍのグラビアロール１３、２３によって巻き上げ、ドクターブレード１４、２４によって所定量に計量された塗工材１２、２２が搬送されている基材２の両面に所定の厚さに塗工されるように形成されている。各グラビアロール１３、２３の基材２の反対側が自由状態とされている。各グラビアロール１３、２３は、図２に示すように、基材２の両面に幅方向に隔てて２つの前駆体２ａ、２ｂがそれぞれ予め塗工されている場合には、グラビアが彫刻されているグラビア彫刻部１３ａ、２３ａを軸方向に隔てて形成して、塗工材１２、２２を基材の２の幅方向に隔てて塗工できるようにするとよい。各塗工ユニット１０、２０はそれぞれ押圧力調整手段としての例えば電磁アクチュエータ１５、２５によってグラビアロール１３、２３の基材２に対する厚さ方向の押圧力を調整できるように形成されている。下流側塗工ユニット２０より下流側に配置されているガイドローラ７は、基材２の搬送方向を変更させるローラとしての作用も兼ねており、外周面から外部に気体（例えば、空気、不活性ガス等）を流出させることができて、外周面から流出する気体によって基材２を浮上させて支承しながら搬送方向を変えることができるように形成されている。このガイドローラ７は多孔質体もしくはパンチングメタルを円筒状に形成することによって構成されており、図示しない気体供給手段より気体が供給されて、丁度基材２を浮上させるとともに、乾燥前の塗工材２２が飛散しない圧力をもって気体を流出させるように形成されている。
【００２１】
次に、前述した構成からなる本実施形態の作用について説明する。
【００２２】
運転開始前に、各塗工ユニット１０、２０を電磁アクチュエータ１５、２５によって基材２を厚さ方向に押圧させるように移動させて押圧力の調整を行う。具体的には図１において、両塗工ユニット１０、２０のグラビアロール１３、２３を基材２の厚さ方向に押し込んで、基材２をゆるいジグザグ状に搬送させることとなる。
【００２３】
基材２を所定速度で搬送させながら上流側ユニット１０のグラビアロール１３によって基材２の片面（図１において右側面）に塗工材１２を所定厚さに塗工する。続いて、上流側ユニット２０のグラビアロール２３によって基材２の片面（図１において右側面）に塗工材１２を所定厚さに塗工する。こと時２つのグラビアロール１３、２３によって搬送されている基材２を厚さ方向に反対向きに押圧してあたかも基材２をニップしている状態として搬送させながら塗工材１２、２２を塗工することができるので、搬送されている基材２を振動させないで精度よく塗工材１２、２２を塗工することができ、高品質な塗工を施すことができる。
【００２４】
また、図２に示すように、基材２に対して幅方向に隔てて２つの前駆体２ａ、２ｂが形成されていても、前記の押圧力によって隣接する前駆体２ａ、２ｂの間の前駆体２ａ、２ｂが内部分に空気を巻き込まないで精度よく塗工材１２、２２を塗工することができる。なお、図２において、基材２、前駆体２ａ、２ｂ、塗工材１２、２２の厚さを誇張して示してある。
【００２５】
そして、ガイドローラ７の部分においては、外周から流出される気体によって、乾燥前の塗工材２２が塗工されている面をガイドローラ７によって浮かせて支承しながら搬送方向を変更することができるとともに、更にガイドローラ７と２つのグラビアロール１３、２３によって搬送されている基材２を振動させないで搬送することができ、精度よく塗工材を塗工することができ、高品質な塗工を施すことができる。
【００２６】
なお、本発明は、前述した実施形態に限定されるものではなく、必要に応じて種々の変更が可能である。
【００２７】
例えば、前記実施形態においては、２つの塗工ユニット１０、２０を基材２が鉛直に搬送される部分に配置したが、水平に搬送されている部分または斜めに搬送されている部分に配置してもよい。
【００２８】
気体を流出させるガイドローラ７としては、前記実施形態のように１本のローラによって形成したり、図３（ａ）〜（ｄ）に示すように、複数本の気体を流出させるガイドローラによって搬送路の変更経路を目的に応じて変更してもよい。図３（ｄ）においては、気体を流出させるガイドローラ７によって基材２を両側より挟むことによって、基材２の振動を更に小さく抑えることができる。この場合、両ガイドローラ７、７を対向させて配置するようにしてもよい。
【符号の説明】
【００２９】
１  塗工装置
２  基材
２ａ  前駆体
３〜７  ガイドローラ
１０  上流側塗工ユニット
１２、２２  塗工材
１３、２３  グラビアロール
１５、２５  電磁アクチュエータ
【図１】
2018202311.tif 000003
【図２】
2018202311.tif 000004
【図３】
2018202311.tif 000005